(57)【要約】  電話回線を利用して通信装置間でデータ伝送するｘＤＳＬ通信システムに関し、電話回線の分岐回線に相当するブリッジタップによるデータ伝送特性に与える影響を緩和する。  モデムを含む通信装置を接続してデータ伝送する電話回線１のブリッジタップ２に、このブリッジタップ２と同等の特性インピーダンスを有する延長線路５又はこの延長線路５と同等の特性の擬似線路を接続した構成とする。
2009022374.tif 000002
【特許請求の範囲】
【請求項１】
電話回線を介してデータ伝送するｘＤＳＬ通信システムに於いて、
前記電話回線のブリッジタップに、延長線路を接続したことを特徴とするｘＤＳＬ通信システム。
【請求項２】
前記電話回線のブリッジタップに、該ブリッジタップと同等の特性インピーダンスを有する延長線路を接続したことを特徴とする請求項１記載のｘＤＳＬ通信システム。
【請求項３】
前記電話回線のブリッジタップに、前記延長線路と同等の伝達特性を有する擬似線路を接続したことを特徴とする請求項１記載のｘＤＳＬ通信システム。
【請求項４】
前記電話回線のブリッジタップに、前記延長線路と同等の伝達特性を有する集中定数回路を接続したことを特徴とする請求項１記載のｘＤＳＬ通信システム。
【発明の詳細な説明】
【技術分野】
【０００１】
本発明は、電話回線を利用してデータ伝送するｘＤＳＬ通信システムに関する。
【背景技術】
【０００２】
銅等の金属線からなる電話回線を利用してデータ通信を行うＡＤＳＬ（Ａｓｙｍｍｅｔｒｉｃ  Ｄｉｇｉｔａｌ  Ｓｕｂｓｃｒｉｂｅｒ  Ｌｉｎｅ）通信システムやＶＤＳＬ（Ｖｅｒｙ  ｈｉｇｈ  ｓｐｅｅｄ  Ｄｉｇｉｔａｌ  Ｓｕｂｓｃｒｉｂｅｒ  Ｌｉｎｅ）通信システムが普及しており、両者を総合してｘＤＳＬ通信システムと称するものであり、電話回線により通話を行う場合の音声信号は、例えば、３００〜３，４００Ｈｚの周波数帯域を利用するものであるが、ｘＤＳＬ通信システムに於いては、最大で３０ＭＨｚ程度の周波数帯域まで使用してデータ伝送するものである。【０００３】
このｘＤＳＬ通信システムは、例えば、図６に示すように、モデムを含む通信装置３，４間を電話回線１により接続した構成として、通信装置３，４間でデータ通信を行うものであり、その電話回線１には、分岐回線、即ち、ブリッジタップ２が接続され、このブリッジタップ２に電話端末が接続される場合もある。この電話端末と電話交換機や音声信号とデータとを分離するフィルタ等については図示を省略している。【０００４】
又ブリッジタップ２は、通信装置３，４間でデータ通信する場合に、開放端と見做す状態となるから、その開放端からの反射波の影響により、信号レベルが大きく低下する帯域が生じて、伝送速度が低下することになる。そこで、開放端に、例えば、コンデンサと抵抗との直列回路を終端回路として接続することが提案されている。その場合の周波数０〜３０ＭＨｚの周波数範囲について、電話回線の特性インピーダンスを図７の（ａ）、終端回路のインピーダンスを（ｂ）にそれぞれ示す。即ち、コンデンサと抵抗との直列回路による終端回路は、比較的低い周波数帯域に於いて無視できないようなインピーダンス不整合となり、ｘＤＳＬ通信に於けるデータ伝送特性が低下する。【０００５】
又ブリッジタップによる影響を緩和する為に、例えば、抵抗とコンデンサとを含む終端回路と、フィルタ構成のノイズ除去回路とをブリッジタップに接続した構成が提案されている（例えば、特許文献１参照）。又ブリッジタップに、このブリッジタップのインピーダンスに相当する抵抗、又はハイパスフィルタと抵抗、又は更にローパスフィルタを介して電話端末を接続する構成が提案されている（例えば、特許文献２参照）。又ブリッジタップに接続したモジュラジャックに、複数種類の終端回路とそれらを選択して接続する為のスイッチとを設けた構成も提案されている（例えば、特許文献３参照）。
【特許文献１】特開２００４−１５１０９号公報
【特許文献２】特開２００４−２６０６１０号公報
【特許文献３】特開２００５−３４０８９７号公報
【発明の開示】
【発明が解決しようとする課題】
【０００６】
電話回線を利用したｘＤＳＬ通信システムに於いて、データ伝送特性に与えるブリッジタップの影響を緩和する為に、従来から前述のように、各種の手段が提案されている。しかし、抵抗とコンデンサとを含む構成の終端回路をブリッジタップに接続した構成の場合、データ伝送帯域の中の一部について有効であるとしても、全データ伝送帯域について有効ではなかった。又モジュラジャックに複数種類の終端回路と選択スイッチとを設けた構成の場合は、コストアップとなると共に、比較的広いデータ伝送帯域にわたってブリッジタップの影響を緩和することは困難である。【０００７】
本発明は、前述の従来の問題点を解決するもので、全データ伝送帯域にわたり、ブリッジタップによるデータ伝送特性に与える影響を緩和することを目的とする。
【課題を解決するための手段】
【０００８】
本発明のｘＤＳＬ通信システムは、電話回線を介してデータ伝送するｘＤＳＬ通信システムに於いて、電話回線のブリッジタップに、延長線路を接続した構成とする。【０００９】
又電話回線のブリッジタップに、該ブリッジタップと同等の特性インピーダンスを有する延長線路を接続することができる。又この延長線路と同等の伝達特性を有する擬似線路をブリッジタップに接続することができる。又この延長線路と同等の伝達特性を有する集中定数回路をブリッジタップに接続することができる。
【発明の効果】
【００１０】
ｘＤＳＬ通信システムに於ける全データ伝送帯域にわたって、ブリッジタップによる影響を緩和することが可能であり、安定且つ高速のデータ伝送特性を得ることが可能となる。
【図面の簡単な説明】
【００１１】
【図１】本発明の実施例１の説明図である。
【図２】ブリッジタップによる伝達特性の説明図である。
【図３】ブリッジタップ長に対するＶＤＳＬ伝送速度のシミュレーション結果の説明図である。
【図４】本発明の実施例２の説明図である。
【図５】本発明の実施例２の説明図である。
【図６】従来例のブリッジタップの説明図である。
【図７】終端回路と電話回線とのインピーダンス特性説明図である。
【発明を実施するための最良の形態】
【００１２】
本発明のｘＤＳＬ通信システムは、図１を参照すると、電話回線１のブリッジタップ２に、このブリッジタップ２と同等の特性インピーダンスを有する延長線路５を接続した構成とする。【００１３】
図１は、本発明の実施例１の説明図であり、電話回線１を介してモデムを含む通信装置３，４を接続し、ブリッジタップ２に延長線路５を接続する。このブリッジタップ２の入力インピーダンスＺＢＴは、
ＺＢＴ＝Ｚ０ｃｏｓｈ（γｄ）／ｓｉｎｈ（γｄ）＝Ｚ０／ｔａｎｈ（γｄ）・・（１）
と表すことができる。なお、Ｚ０は特性インピーダンス、γは伝搬定数、ｄはブリッジタップの線路長を示す。即ち、線路長ｄを充分に長くすることにより、（１）式のｔａｎｈ（γｄ）は１に近付き、それにより、入力インピーダンスＺＢＴは、特性インピーダンスＺ０に近付くことになる。【００１４】
図２は、ブリッジタップの有無による伝達特性の一例を示すもので、縦軸を利得（Ｇａｉｎ〔ｄＢ〕）、横軸を周波数（Ｆｒｅｑｕｅｎｃｙ〔ＭＨｚ〕）として、０〜３０ＭＨｚの周波数範囲に於ける伝達特性を示し、ブリッジタップなしの場合に比較して、ブリッジタップ長無限大の場合は、３ｄＢ程度低い利得となるが、周波数の増加に従って減少する傾向は類似したものとなる。これらに対して、ブリッジタップ長が２ｍの場合、２４ＭＨｚ近傍に於いて大きな谷が生じる特性となり、この２４ＭＨｚ近傍の周波数帯をデータ伝送には充分には利用できなくなる。又ブリッジタップ長が２０ｍの場合は、周期的に小さい谷が生じる特性となる。即ち、ブリッジタップ長が充分に長い場合、例えば、前述の線路長ｄが充分に長い場合、伝達特性の大きな谷が生じることはなくなる。実際には、電話回線の種別にもよるが、数１００ｍ程度以上であれば、伝達特性の谷は充分に小さくなり、ｘＤＳＬ通信システムとして、所望のデータ伝送特性とすることができる。【００１５】
図３は、ブリッジタップの長さ〔ｍ〕を０〜５００ｍとして、ＶＤＳＬ伝送速度〔Ｍｂｐｓ〕の変化のシミュレーション結果を示すものであり、ブリッジタップ長が５０ｍ程度までは、伝送速度は比較的大きな変化を有するものとなるが、それ以上の長さでは、伝送速度の変化は小さいものとなる。又４００ｍ程度以上では、伝送速度は、ほぼ一定値に収束するものとなった。即ち、ブリッジタップ長が４００ｍ等のように、充分に長ければ、電話回線を介して伝送するＶＤＳＬ信号に与える影響は小さくなることを示し、所望の伝送速度を維持することが可能となる。【００１６】
図４は、本発明の実施例２の説明図であり、図１と同一符号は同一名称部分を示し、６は擬似線路である。この擬似線路６は、延長線路５の特性と同等な伝達特性を有する線路を示し、この擬似線路６は、分布定数回路として実現することも可能であるが、集中定数回路で実現することも可能であり、この集中定数回路で実現した例を図５に示す。即ち、インダクタンスＬと抵抗Ｒ１，Ｒ２とコンデンサＣとにより構成することができる。なお、インダクタンスと抵抗とコンデンサとを含む集中定数回路の構成は、図５に示す接続構成以外の接続構成で実現することも可能である。又この擬似線路６の一方に前述の電話回線のブリッジタップを接続し、状況に応じて他方に図示を省略した電話端末を接続することになる。
【産業上の利用の可能性】
【００１７】
ブリッジタップを含む種々の敷設構成の電話回線を利用したＡＤＳＬ，ＶＤＳＬ等のｘＤＳＬ通信システムに適用可能であり、全データ伝送帯域にわたり、ブリッジタップによるデータ伝送特性に与える影響を緩和して、安定な高速通信を可能となる。
【図１】
2009022374.tif 000003
【図２】
2009022374.tif 000004
【図３】
2009022374.tif 000005
【図４】
2009022374.tif 000006
【図５】
2009022374.tif 000007
【図６】
2009022374.tif 000008
【図７】
2009022374.tif 000009
【国際調査報告】
2009022374.tif 000010
2009022374.tif 000011
2009022374.tif 000012
2009022374.tif 000013